(57)【要約】      （修正有）【課題】二種の異なるコイル巻線アウトプットの連接構造を構成でき、二種のコイル巻線とアウトプットでの組合をカップリングできる磁性装置を提供する。【解決手段】磁性装置は、一組の上下対称のソフトマグネットフェライト磁芯が包括され、一次巻線には最少で一ブロックの回路基板が含まれ、すべてのブロック回路基板には最少で二層以上の層構造で最少で四巻以上のコイル巻線が組成される。二次巻線には最少で二ブロックの平面銅板あるいは二ブロックの回路基板が含まれ、すべてのブロック平面銅板は一個のコイル巻線巻数を構成し、あるいはすべてのブロック回路基板には最少で二層以上の層構造が備わっており、最少で一巻以上のコイル巻線が構成される。平面変圧器の一次巻線と二次巻線で端子とメイン回路ボードを経て電気連接が行われる。【選択図】図２
0003141220.tif 000002
【実用新案登録請求の範囲】
【請求項１】
一組あるいは数組の上下対称のＥＲ型あるいはＲＭ型ソフトマグネットの酸体磁芯；最少で一ブロックの異なる電感巻線圈数を構成できる印刷電路ボードで、この印刷電路ボードは平面変圧器の初級巻線を構成し、最少で二ブロックの平面銅板あるいは二ブロックの印刷電路ボードで、この平面銅板あるいは印刷電路は平面変圧器の次級巻線を構成し、数個の引出端子の磁性装置に対する初級巻線の間の次級巻線との間で電気連接を行い、メイン電路ボードとの電気連接は引出端子を経由して実現するように構成したことを特徴とする磁性装置。
【請求項２】
変圧器の初級と次級の間、および初級と初級の間、次級と次級の間で一層あるいは多層の絶縁材料を経ることで電気隔離を実現することを特徴とする請求項１記載の磁性装置。
【請求項３】
その中で組成した初級巻線の単ブロック印刷電路ボードは、パーツ面を上に向けて放置することができ、また阻ハンダ面を上に向けて放置することもでき、異なる巻線とアウトプット連接の構造を構成することを特徴とする請求項１記載の磁性装置。
【請求項４】
二ブロック同じ電感巻線圈数の印刷電路ボードは、パーツ面を上に向けて順序に沿って堆積させて放置して初級巻線を構成する時、引出端子が磁性装置とメイン電路ボードに対して電気連接を行い、また直接磁性装置の端子を通過して二個の巻線の間の並連連接を実現することを特徴とする請求項３記載の磁性装置。
【請求項５】
二ブロック同じ電感巻線圈数の印刷電路ボードは、一対一（パーツ面に相対する）で堆積放置して初級巻線を組成した時、端子の磁性装置とメイン電路ボードに対する電気連接を通じて、メイン電路ボード上の短路によって連接し二個の巻線の間のカップリングあるいは構造の組合せを構成することを特徴とする請求項３記載の磁性装置。
【請求項６】
二ブロック同じ電感巻線圈数の印刷電路ボードは、一対一（パーツ面に相対する）で堆積放置して初級巻線を組成した時、引出端子の磁性装置とメイン電路ボードに対する電気連接を通じて、メイン電路ボード上の短路によって連接し二個の巻線の間のカップリング構造の組合せを構成することを特徴とする請求項３記載の磁性装置。
【請求項７】
次級巻線の二ブロックで平面銅板を構成し、すべてのブロック平面銅板で一個の電感巻線の圈数を構成することを特徴とする請求項１記載の磁性装置。
【請求項８】
次級巻線の二ブロックで印刷電路ボードを構成し、すべてのブロック印刷電路でボードの電感巻線圈数は同じとすることを特徴とする請求項１記載の磁性装置。
【請求項９】
二ブロック平面銅板の堆積放置で二個の次級巻線を構成する時、引出端子は磁性装置とメイン電路ボードに対して電気連接を行い、またメイン電路ボード上の短路連接あるいは引出端子によって二個の巻線の間のカップリングあるいはカップラー構造の組合せを構成することを特徴とする請求項７記載の磁性装置。
【請求項１０】
二ブロックに同じ電感巻線圈数の印刷電路ボードを堆積して放置することで二個の次級巻線を構成する時、引出端子によって磁性装置とメイン電路ボードに対して電気連接を行い、メイン電路ボード上の短路に連接あるいは引出端子で二個の巻線の間のカップリングあるいはカップラー構造の組合せを構成することを特徴とする請求項８記載の磁性装置。
【請求項１１】
次級巻線の二ブロックで平面銅板あるいは印刷電路ボードを構成し、サンドイッチの構造方式を採用し、初級巻線と印刷電路ボードを組成して堆積放置することを特徴とする請求項１記載の磁性装置。
【請求項１２】
すべてのブロック印刷電路ボードには最少で2層以上の層構造が包括され、すべての層は一個あるいは数個の電感巻線圈数を構成できることを特徴とする請求項１記載の磁性装置。
【考案の詳細な説明】
【技術分野】
【０００１】
本案は、少なくとも一ブロックの両層以上の構造を備え同じあるいは異なる電感巻線圈数で初級巻線の印刷電路ボードを組成し、少なくとも二ブロックの平面銅板あるいは二ブロックの印刷電路ボードで次級巻線を構成し、一対の上下対称のソフトマグネット酸体磁芯、および電気を起こす連接作用の端子でエネルギー伝動と電気隔離の高效独立型平面変圧器を構成する。当該磁性器は広範な電源供応に応用でき、特に直流/直流転換器（図１の示すとおり）において応用できる。
【背景技術】
【０００２】
エネルギーの節約と環境保護のため、目下各種デジタル設備は、まさにますます高速の計算速度を採用し、同時にその外形サイズはますます小型化している。このため直流スイッチ電源の需要量は大きく受け入れ面も広いため、検査測定での電気エネルギーを節約し、また発電所の数を減少させることもでき、発電所の排出する廃気廃水の環境に対する汚染も軽減することができる。
【０００３】
省エネと環境保護の要求に適応するため、マイクロ電子電路の業務で使用する電圧はますます小さくなり、電路におけるエネルギー消耗量も小さくなっている。目下主導的な地位にある５Ｖと１２Ｖ電力供給方式は長期間維持されず、３．３Ｖ、２．５Ｖ、２Ｖ、１．８Ｖ、１．５Ｖひいては１．２Ｖの電圧は多くの電子設備の中ですでに標準的な電力供給電圧となっている。事実、次世代の高速マイクロ処理器とデジタル信号処理システムで、これらの電力供給電圧は１．０Ｖ以下になる。
【０００４】
目下この種のより低い電力供給電圧とより小さい外型の換変は急速に電源の供給と包装技術を変革させている。同時に高周波ソフトスイッチと同時整流および表面の取り付け技術の応用で大幅に体積を縮小すると同時に、電源の変換効率をさらに向上させた。
【０００５】
もう一方、直流スイッチ電源は軽薄短小化に向けて発展しており、功率半導体と信号半導体がますます小さくなる中、いかに電源供給システム中で重要な役割を果たす功率磁性器の外形サイズを変化させられるかがカギとなる。功率変圧器と電感器の小型化は最大の難点である。
【０００６】
伝統的な変圧器が採用している銅導線で作られた巻線に比べ、平面変圧器の巻線では二層あるいは多層印刷電路ボードあるいは予め作られた平面の銅板構成が使用されており、同時に平面磁芯の開発が成功したことで、平面化の変圧器の設計が実現した。功率密度が大幅に向上すると同時、体積は大幅に縮小し、通常の変圧器の２０％程度になっている。このため、平面変圧器の厚さは伝統的な変圧器よりはるかに小さく、その４０％の高さに過ぎない。
【０００７】
伝統的な変圧器は、一般に鉄酸体磁芯上にまきついた銅導線組で組成された圈巻線で、銅導線の利用率で充分に利用されておらず、この情況は高周波の時に特に検査測定する。これは、高周波の業務条件下で生み出された電流の効果によって得られた。
【０００８】
導体が高周波電流を通り抜けた時、変化した電流は導体内と導体外で生まれた変化の磁場となる。電磁感応の定律に即せば、高周波磁場は導体内の長さに即して二つの平面で感応電勢が生まれる。この感応電勢は導体内のすべての長さの方向で生まれる渦流阻止磁を通ることによる変化だる。このようなメイン電流と渦流は導線表面を加強することで、向導線が中心にあるほど弱く、電流の趨勢は導体表面で、この種の現象は趨膚效応という。このような結果はつねにすべての導線面積より小さく、交流抵抗は直流抵抗より大きい。
【０００９】
平面変圧器で、その巻線は敷銅が印製電路ボード上あるいは直接銅板を使用して形成した一組の扁平の導電面体であれば、趨膚效応で電流が外表層に集中しても、電流は全体の導線を経ており、この円柱（線型）導線と対比して上昇させた電流密度によるものとし、このような常規の線繞変圧器に比べ、平面変圧器はより高い交換効率と功率密度を得られる。
【００１０】
若干の‘開架’式の電源変換器製品の中で、二副あるいはそれ以上の磁性装置を同一ブロック電路マザーボードに取り付け、この種の構造の磁性装置は埋め込み型の平面変圧器となる。たとえばＣ＆Ｄ社のＷＰＡシリーズとＳｙｎｑｏｒ社のＰｏｗｅｒＱｏｒなどのシリーズは、電源変換器がいずれも単ブロックにあり、変圧器における初回レベルの巻線の多層印刷電路マザーボードで構成されている。
【００１１】
まず、変圧器の巻線比率の要求で、この種の印刷電路ボードは必ず多層的であり、最多で十二層以上とする。またこの種のすべての電路マザーボードの多層構造は非常に高い製造コストを伴う。同時にマザーボード中で構成された変圧器巻線で産生された熱量は温度感応コントロール電路に伝えられ、誤作動を引き起こす。また電路マザーボード上に装着された磁性装置については、その具体的なパラメーターを測定することは非常に困難である。また磁性装置は電源変換器全体の一部で、マザーボードで構成された巻線のどのような欠陥もすべてのブロック電路のマザーボードをダメにしてしまうので、この種の結果は材料コストの増加につながってしまう。
【００１２】
最後に電源変換器のインプットアウトプットで電圧の異なる要求で、印刷電路マザーボードで構成される変圧器巻線の変化もこれらのインプットアウトプット電圧の異なる要求に即して異なる後進と配合が行われる。このように、同一の功率のシリーズ製品のなかで、異なるアウトプット電圧の要求のもと、より高い材料コストと在庫量が生み出され、さらに多くの流動資金を投じることになってしまう。
【考案の開示】
【考案が解決しようとする課題】
【００１３】
本考案は、上記従来の問題点を解決することを課題とする。
【課題を解決するための手段】
【００１４】
本考案の磁性装置は、一組あるいは数組の上下対称のＥＲ型あるいはＲＭ型ソフトマグネットの酸体磁芯；最少で一ブロックの異なる電感巻線圈数を構成できる印刷電路ボードで、この印刷電路ボードは平面変圧器の初級巻線を構成し、最少で二ブロックの平面銅板あるいは二ブロックの印刷電路ボードで、この平面銅板あるいは印刷電路は平面変圧器の次級巻線を構成し、数個の引出端子の磁性装置に対する初級巻線の間の次級巻線との間で電気連接を行い、メイン電路ボードとの電気連接は引出端子を経由して実現するように構成したことを特徴とする。
【考案の効果】
【００１５】
本案の磁性装置において、平面変圧器の巻線は電路マザーボード上で構成されたものではなく、マザーボードの電路から独立した完全な機構で、実際に応用する嵌入型平面変圧器にはより多くのフレキシブルさと互換性があり、効果的に材料コストを低減させている。
【００１６】
本案の磁性装置の中で、幾何形状の初次級巻線構造を採用し、直流ロスと最低二まで抑えている。同時に初級巻線と次級巻線を採用することで、相互交錯の累積放置方式で、交流ロスも最低二まで抑えており、これもさらに進んだ変圧器の変換効率の向上であり、省エネの効果を上げている。
【考案を実施するための最良の形態】
【００１７】
図２から図５までを参照されたい。当該の独立型平面変圧器には、以下が包括される。
一組の上下対称のＥＲ型あるいはＲＭ型のソフトマグネット酸体磁芯（２０１，２０２あるいは３０１，３０２）；
【００１８】
最も少ないブロックは異なる電感巻線圈数の印刷電路ボード（２０３，２０４，あるいは３０３）を形成でき、この印刷電路ボードは平面変圧器の初級巻線を構成している。また初級巻線には最少の一ブロック印刷電路ボード（２０３，２０４，あるいは３０３）を含む。また、すべてのブロック印刷電路ボード（２０３，２０４，あるいは３０３）には最少で二層以上の層構造で組成された最少で四圈以上の電感巻線が備わっている。
【００１９】
次級巻線には、最少で二ブロックの平面銅板（２０５，２０６）あるいは二ブロックの印刷電路ボード（３０４，３０５）が含まれ、すべてのブロックは平面銅板（２０５，２０６）で一個の電感巻線圈数が構成され、あるいはすべてのブロック印刷電路ボード（３０４，３０５）には最少で二層以上の層構造で構成される最少で一圈以上の電感巻線が備わっている。また、組成された次級巻線の二ブロック印刷電路ボード（３０４，３０５）については、すべてのブロック印刷電路（３０４，３０５）板上の電感巻線圈の数と同じとする；
【００２０】
平面変圧器の初級巻線と次級巻線は端子（２０７，２０８あるいは３０６，３０７）とメイン電路ボードを通じて電気連接を行う。また引出端子を経て磁性装置とメイン電路ボードに対して電気連接を行い、メイン電路ボード上の短路連接あるいは引出端子を通じて二つの巻線の間のカップリングあるいはカップラー構造の組合を構成することができる。
【００２１】
磁性装置とメイン電路ボードの電気連接経は引出端子によって実現する。
【００２２】
上述の磁性装置は、変圧器の初級と次級の間、および初級と初級の間、次級と次級の間で一層あるいは多層の絶縁材料を経ることで電気隔離が実現す。
【００２３】
上述の磁性装置は、次級巻線の二ブロックの平面銅板（２０５，２０６）あるいは印刷電路ボード（３０４，３０５）を組成し、サンドイッチ構造の方式を採用することで、初級巻線の印刷電路ボード（２０３，２０４，あるいは３０）と堆積放置を構成している。
【００２４】
上述の磁性装置は、すべてのブロックの印刷電路ボード（２０３，２０４，３０３，３０４，３０５）で、最少で２層以上の層構造を包括し、すべての層で一個あるいは数個の電感巻線圈数を構成できる。
【００２５】
上述の磁性装置は、一個の独立した平面変圧器が組成する直流/直流変換器の一部分だ。本案の磁性装置の中で、初級電感巻線は印刷電路ボード（２０３，２０４，あるいは３０３）よって組成されるもので、図６は本案のなかの一個の四層で構成される四圈電感巻線の印刷電路ボード内部の層構造をした図である。ここでは独特の電感巻線の引出構造を採用し、印刷電路ボードでパーツ面を上に向けて放置した時、図７で示すような巻線連接構造が組成される；また印刷電路ボードで阻ハンダ面を上に向けて放置した時、図８で示した巻線連接構造を組成する。
【００２６】
図２から図１２までを参照されたし。最少で一ブロックの印刷電路ボード（２０３，２０４，あるいは３０３）で組成された初級巻線の中に、同一ブロックの印刷電路ボード（２０３，２０４，あるいは３０３）がパーツ面を上に向けて放置（図７で示すとおり）あるいは阻ハンダ面を上に向けて放置（図８で示すとおり）した時、異なる電感線圈巻線のアウトプット連接構造（図９、図１０の示すとおり）を構成する。さらに踏み込んでいえば、二ブロックと同じ電感巻線圈数の印刷電路ボード（２０３，２０４，あるいは３０３）はパーツ面を上向けて順序に素って積み重ねて放置して初級巻線を構成した時、直接磁性装置上の端子を通過して両個巻線の間の連接を実現することができる。二ブロックの同じ電感圈数を備えた印刷電路ボード（２０３，２０４，あるいは３０３）によって一対一（パーツ面の相対）の堆積放置で初級巻線が構成される時、端子の対磁性装置とメイン電路ボードによって電気連接を行い、メイン電路ボード上の短路連接あるいは引出端子を通じて、二つの巻線の間のカップリングあるいは構造組合を構成することができる（図９と図１０の巻線構造での組合の通り）。
【００２７】
二ブロックの異なる電感巻線圈数の印刷電路ボード（２０３，２０４，あるいは３０３）によって一対一（組ハンダ面に相対する）の堆積放置によって初級巻線が構成される時、端子を経て磁性装置とメイン電路ボードも対して電気連接を行うことで、二つの巻線の間のカップリング巻線構造の組合を実現する（図１０の巻線構造組合の通り）。
【００２８】
最少で二ブロックの平面銅板（２０５，２０６）あるいは二ブロックの同じ電感巻線圈数の印刷電路ボード（３０４，３０５）の堆積放置で次級巻線を構成する時、端子（２０７，２０８あるいは３０６，３０７）を経て磁性装置とメイン電路ボードに対して電気連接を行い、メイン電路ボード上で短路連接を進めることで、二つの巻線の間のカップリングあるいは構造組合を構成することができる（図１１、図１２の示すとおり）。
【００２９】
この種の独特な電感巻線の引出構造を採用したことで、初級巻線の中で、一ブロック印刷電路ボード（２０３，２０４，あるいは３０３）を経て異なる面に放置（パーツ面の上向きと阻ハンダ面を上向きで放置し、図７、図８の示すとおり）することで、二種の異なる電感巻線アウトプットの連接構造を構成する。次級巻線の中で、メイン電路ボード上を通じて行った短路連接あるいは引出端子の連接でも、カップリングと二種の電感巻線アウトプットの組合を構成することができる。
【００３０】
この長所はより多くの巻線構造の組合での異なるインプット・アウトプットの電圧要求を満足させる系列製品となり、半分以上の印刷電路ボードの製作費用を減少させることで、生産コストを大幅に減少させる。
【図面の簡単な説明】
【００３１】
【図１】従来の直流/直流変換器を示す図。
【図２】本案の磁性装置の立体分解図。
【図３】本案の磁性装置の前から見た平面図。
【図４】本案のもう一つの実施例の磁性装置の立体分解図。
【図５】本案のもう一つの実施例の磁性装置の前から見た平面図。
【図６】本案の四層構成の四圈電感巻線の印刷電路ボードの内部層構造の示意図。
【図７】本案の初級巻線の引出連接構造が印刷電路ボードパーツ面で上向きに放置した時の平面示意図。
【図８】本案の初級巻線の引出連接構造が印刷電路ボード組のハンダハンダ面で上向きに放置した時の平面示意図。
【図９】本案の初級巻線組合の引出での連接構造の示意図。
【図１０】本案のもう一つの実施例の初級巻線組合の引出での連接構造の示意図。
【図１１】本案の次級巻線組合の引出での連接構造の示意図。
【図１２】本案のもう一つの実施例の次級巻線の組合の引出での連接構造の示意図。
【符号の説明】
【００３２】
２０１  ソフトマグネット酸体磁芯
２０２  ソフトマグネット酸体磁芯
２０３  印刷電路ボード
２０４  印刷電路ボード
２０５  平面銅板
２０６  平面銅板
２０７  次級の巻線通過端子
２０８  次級の巻線通過端子
３０１  ソフトマグネット酸体磁芯
３０２  ソフトマグネット酸体磁芯
３０３  印刷電路ボード
３０４  二ブロックの印刷電路ボード
３０５  二ブロックの印刷電路ボード
３０６  次級の巻線通過端子
３０７  次級の巻線通過端子
【図１】
0003141220.tif 000003
【図２】
0003141220.tif 000004
【図３】
0003141220.tif 000005
【図４】
0003141220.tif 000006
【図５】
0003141220.tif 000007
【図６】
0003141220.tif 000008
【図７】
0003141220.tif 000009
【図８】
0003141220.tif 000010
【図９】
0003141220.tif 000011
【図１０】
0003141220.tif 000012
【図１１】
0003141220.tif 000013
【図１２】
0003141220.tif 000014
【手続補正書】
【提出日】平成19年10月24日(2007.10.24)
【手続補正１】
【補正対象書類名】実用新案登録請求の範囲
【補正対象項目名】全文
【補正方法】変更
【補正の内容】
【実用新案登録請求の範囲】
【請求項１】
一組あるいは数組の上下対称のＥＲ型あるいはＲＭ型ソフトマグネットの酸体磁芯と、最少で一ブロックの異なるコイル巻数を構成できる回路基板であって、上記酸体磁芯間に置かれる一次巻線と、最少で二ブロックの平面銅板あるいは二ブロックの回路基板であって、上記酸体磁芯間に置かれる二次巻線と、これら一次巻線と二次巻線との間で電気連接を行い、メイン回路ボードとの電気連接を実現する引出端子と、から構成したことを特徴とする磁性装置。
【請求項２】
変圧器の一次と二次の間、一次と一次の間、および二次と二次の間で一層あるいは多層の絶縁材料を経ることで電気隔離を実現することを特徴とする請求項１記載の磁性装置。
【請求項３】
前記一次巻線の単ブロックの回路基板は、パーツ面を上に向けて放置することができ、また阻ハンダ面を上に向けて放置することもでき、異なる巻線とアウトプット連接の構造を構成することを特徴とする請求項１記載の磁性装置。
【請求項４】
二ブロック同じコイル巻数の回路基板は、パーツ面を上に向けて順序に沿って堆積させて放置して一次巻線を構成する時、引出端子が磁性装置とメイン回路ボードに対して電気連接を行い、また直接磁性装置の端子を通過して二個の巻線の間の並連連接を実現することを特徴とする請求項３記載の磁性装置。
【請求項５】
二ブロック同じコイル巻数の回路基板は、一対一（パーツ面に相対する）で堆積放置して一次巻線を組成した時、端子の磁性装置とメイン回路ボードに対する電気連接を通じて、メイン回路ボード上の短路によって連接し二個の巻線の間のカップリングあるいは構造の組合せを構成することを特徴とする請求項３記載の磁性装置。
【請求項６】
二ブロック同じコイル巻数の回路基板は、一対一（パーツ面に相対する）で堆積放置して一次巻線を組成した時、引出端子の磁性装置とメイン回路ボードに対する電気連接を通じて、メイン回路ボード上の短路によって連接し二個の巻線の間のカップリング構造の組合せを構成することを特徴とする請求項３記載の磁性装置。
【請求項７】
二次巻線の二ブロックで平面銅板を構成し、すべてのブロック平面銅板で一個のコイル巻数を構成することを特徴とする請求項１記載の磁性装置。
【請求項８】
二次巻線の二ブロックで回路基板を構成し、すべてのブロックの回路基板のコイル巻数は同じとすることを特徴とする請求項１記載の磁性装置。
【請求項９】
二ブロック平面銅板の堆積放置で二個の二次巻線を構成する時、引出端子は磁性装置とメイン回路ボードに対して電気連接を行い、またメイン回路ボード上の短路連接あるいは引出端子によって二個の巻線の間のカップリングあるいはカップラー構造の組合せを構成することを特徴とする請求項７記載の磁性装置。
【請求項１０】
二ブロックに同じコイル巻数の回路基板を堆積して放置することで二個の二次巻線を構成する時、引出端子によって磁性装置とメイン回路ボードに対して電気連接を行い、メイン回路ボード上の短路に連接あるいは引出端子で二個の巻線の間のカップリングあるいはカップラー構造の組合せを構成することを特徴とする請求項８記載の磁性装置。
【請求項１１】
二次巻線の二ブロックで平面銅板あるいは回路基板を構成し、サンドイッチの構造方式を採用し、一次巻線と回路基板を組成して堆積放置することを特徴とする請求項１記載の磁性装置。
【請求項１２】
すべてのブロックの回路基板には最少で2層以上の層構造が包括され、すべての層は一個あるいは数個のコイル巻数を構成できることを特徴とする請求項１記載の磁性装置。
【手続補正２】
【補正対象書類名】明細書
【補正対象項目名】全文
【補正方法】変更
【補正の内容】
【考案の詳細な説明】
【技術分野】
【０００１】
本案は、少なくとも一ブロックの両層以上の構造を備え同じあるいは異なるコイル巻数で一次巻線の回路基板を組成し、少なくとも二ブロックの平面銅板あるいは二ブロックの回路基板で二次巻線を構成し、一対の上下対称のソフトマグネット酸体磁芯、および電気を起こす連接作用の端子でエネルギー伝動と電気隔離の高效独立型平面変圧器を構成する。当該平面変圧器すなわち磁性装置は、広範な電源供応に応用でき、特に直流/直流転換器（図１の示すとおり）において応用できる。
【背景技術】
【０００２】
エネルギーの節約と環境保護のため、目下各種デジタル設備は、まさにますます高速の計算速度を採用し、同時にその外形サイズはますます小型化している。このため直流スイッチ電源の需要量は大きく受け入れ面も広いため、検査測定での電気エネルギーを節約し、また発電所の数を減少させることもでき、発電所の排出する廃気廃水の環境に対する汚染も軽減することができる。
【０００３】
省エネと環境保護の要求に適応するため、マイクロ電子回路の業務で使用する電圧はますます小さくなり、回路におけるエネルギー消耗量も小さくなっている。目下主導的な地位にある５Ｖと１２Ｖ電力供給方式は長期間維持されず、３．３Ｖ、２．５Ｖ、２Ｖ、１．８Ｖ、１．５Ｖひいては１．２Ｖの電圧は多くの電子設備の中ですでに標準的な電力供給電圧となっている。事実、次世代の高速マイクロ処理器とデジタル信号処理システムで、これらの電力供給電圧は１．０Ｖ以下になる。
【０００４】
目下この種のより低い電力供給電圧とより小さい外型の換変は急速に電源の供給と包装技術を変革させている。同時に高周波ソフトスイッチと同時整流および表面の取り付け技術の応用で大幅に体積を縮小すると同時に、電源の変換効率をさらに向上させた。
【０００５】
もう一方、直流スイッチ電源は軽薄短小化に向けて発展しており、功率半導体と信号半導体がますます小さくなる中、いかに電源供給システム中で重要な役割を果たす功率磁性器の外形サイズを変化させられるかがカギとなる。功率変圧器と電感器の小型化は最大の難点である。
【０００６】
伝統的な変圧器が採用している銅導線で作られた巻線に比べ、平面変圧器の巻線では二層あるいは多層の回路基板あるいは予め作られた平面の銅板構成が使用されており、同時に平面磁芯の開発が成功したことで、平面化の変圧器の設計が実現した。功率密度が大幅に向上すると同時、体積は大幅に縮小し、通常の変圧器の２０％程度になっている。このため、平面変圧器の厚さは伝統的な変圧器よりはるかに小さく、その４０％の高さに過ぎない。
【０００７】
伝統的な変圧器は、一般に鉄酸体磁芯上にまきついた銅導線組で組成された圈巻線で、銅導線の利用率で充分に利用されておらず、この情況は高周波の時に特に検査測定する。これは、高周波の業務条件下で生み出された電流の効果によって得られた。
【０００８】
導体が高周波電流を通り抜けた時、変化した電流は導体内と導体外で生まれた変化の磁場となる。電磁誘導の定律に即せば、高周波磁場は導体内の長さに即して二つの平面で誘導電流が生まれる。この誘導電流は導体内のすべての長さの方向で生まれる渦流阻止磁を通ることによる変化である。このようなメイン電流と渦流は導線表面を加強することで、向導線が中心にあるほど弱く、電流の趨勢は導体表面で、この種の現象は趨膚效応という。このような結果はつねにすべての導線面積より小さく、交流抵抗は直流抵抗より大きい。
【０００９】
平面変圧器で、その巻線は敷銅が回路基板上あるいは直接銅板を使用して形成した一組の扁平の導電面体であれば、趨膚效応で電流が外表層に集中しても、電流は全体の導線を経ており、この円柱（線型）導線と対比して上昇させた電流密度によるものとし、このような常規の線繞変圧器に比べ、平面変圧器はより高い交換効率と功率密度を得られる。
【００１０】
若干の‘開架’式の電源変換器製品の中で、二副あるいはそれ以上の磁性装置を同一ブロック回路マザーボードに取り付け、この種の構造の磁性装置は埋め込み型の平面変圧器となる。たとえばＣ＆Ｄ社のＷＰＡシリーズとＳｙｎｑｏｒ社のＰｏｗｅｒＱｏｒなどのシリーズは、電源変換器がいずれも単ブロックにあり、変圧器における初回レベルの巻線の多層印刷回路マザーボードで構成されている。
【００１１】
まず、変圧器の巻線比率の要求で、この種の回路基板は必ず多層的であり、最多で十二層以上とする。またこの種のすべての回路マザーボードの多層構造は非常に高い製造コストを伴う。同時にマザーボード中で構成された変圧器巻線から発生する熱量は温度感応コントロール回路に伝えられ、誤作動を引き起こす。また回路マザーボード上に装着された磁性装置については、その具体的なパラメーターを測定することは非常に困難である。また磁性装置は電源変換器全体の一部で、マザーボードで構成された巻線のどのような欠陥もすべてのブロック回路のマザーボードをダメにしてしまうので、この種の結果は材料コストの増加につながってしまう。
【００１２】
最後に電源変換器のインプットアウトプットで電圧の異なる要求で、印刷回路マザーボードで構成される変圧器巻線の変化もこれらのインプットアウトプット電圧の異なる要求に即して異なる後進と配合が行われる。このように、同一の功率のシリーズ製品のなかで、異なるアウトプット電圧の要求のもと、より高い材料コストと在庫量が生み出され、さらに多くの流動資金を投じることになってしまう。
【考案の開示】
【考案が解決しようとする課題】
【００１３】
本考案は、上記従来の問題点を解決することを課題とする。
【課題を解決するための手段】
【００１４】
本考案の磁性装置は、一組あるいは数組の上下対称のＥＲ型あるいはＲＭ型ソフトマグネットの酸体磁芯と、最少で一ブロックの異なるコイル巻数を構成できる回路基板である一次巻線と、最少で二ブロックの平面銅板あるいは二ブロックの回路基板である二次巻線と、これら一次巻線と二次巻線との間で電気連接を行い、メイン回路ボードとの電気連接を実現する引出端子と、から構成されることを特徴とする。
【考案の効果】
【００１５】
本案の磁性装置において、平面変圧器の巻線は回路マザーボード上で構成されたものではなく、マザーボードの回路から完全に独立したもので、実際に応用する嵌入型平面変圧器にはより多くのフレキシブルさと互換性があり、効果的に材料コストを低減させている。
【００１６】
本案の磁性装置の中で、幾何学模様の一二次巻線構造を採用し、直流ロスを最低二まで抑えている。同時に一次巻線と二次巻線を採用することで、相互交錯の累積放置方式で、交流ロスも最低二まで抑えており、これもさらに進んだ変圧器の変換効率の向上であり、省エネの効果を上げている。
【考案を実施するための最良の形態】
【００１７】
図２から図５までを参照されたい。当該の独立型平面変圧器には、以下が包括される。
一組の上下対称のＥＲ型あるいはＲＭ型のソフトマグネット酸体磁芯（２０１，２０２あるいは３０１，３０２）を含む。
【００１８】
最も少ないブロックは異なるコイル巻数の回路基板（２０３，２０４，あるいは３０３）を形成でき、この回路基板は平面変圧器の一次巻線を構成している。また一次巻線には最少の一ブロックの回路基板（２０３，２０４，あるいは３０３）を含む。また、すべてのブロックの回路基板（２０３，２０４，あるいは３０３）には最少で二層以上の層構造で組成された最少で４巻以上のコイル巻数が備わっている。
【００１９】
二次巻線には、最少で二ブロックの平面銅板（２０５，２０６）あるいは二ブロックの回路基板（３０４，３０５）が含まれ、すべてのブロックは平面銅板（２０５，２０６）は一個のコイル巻数が構成され、あるいはすべてのブロックの回路基板（３０４，３０５）には最少で二層以上の層構造で構成される最少で１巻以上のコイル巻数が備わっている。また、組成された二次巻線の二ブロックの回路基板（３０４，３０５）については、すべてのブロックの回路基板（３０４，３０５）上のコイル巻数と同じとする。
【００２０】
平面変圧器の一次巻線と二次巻線は端子（２０７，２０８あるいは３０６，３０７）とメイン回路ボードを通じて電気連接を行う。また引出端子を経て磁性装置とメイン回路ボードに対して電気連接を行い、メイン回路ボード上の短路連接あるいは引出端子を通じて二つの巻線の間のカップリングあるいはカップラー構造の組合せを構成することができる。
【００２１】
磁性装置とメイン回路ボードの電気連接経は引出端子によって実現する。
【００２２】
上述の磁性装置は、変圧器の一次と二次の間、一次と一次の間、および二次と二次の間で一層あるいは多層の絶縁材料を経ることで電気隔離が実現す。
【００２３】
上述の磁性装置は、二次巻線の二ブロックの平面銅板（２０５，２０６）あるいは回路基板（３０４，３０５）を組成し、サンドイッチ構造の方式を採用することで、一次巻線の回路基板（２０３，２０４，あるいは３０３）と堆積放置を構成している。
【００２４】
上述の磁性装置は、すべてのブロックの回路基板（２０３，２０４，３０３，３０４，３０５）で、最少で２層以上の層構造を包括し、すべての層で一個あるいは数個のコイル巻数を構成できる。
【００２５】
上述の磁性装置は、一個の独立した平面変圧器が組成する直流/直流変換器の一部分である。本案の磁性装置の中で、一次コイルは回路基板（２０３，２０４，あるいは３０３）によって組成されるもので、図６は本案のなかの一個の四層で構成される４巻コイルの回路基板内部の層構造をした図である。ここでは独特のコイルの引出構造を採用し、回路基板でパーツ面を上に向けて放置した時、図７で示すような巻線連接構造が組成される。また回路基板で阻ハンダ面を上に向けて放置した時、図８で示した巻線連接構造を組成する。
【００２６】
図２から図１２までを参照されたし。最少で一ブロックの回路基板（２０３，２０４，あるいは３０３）で組成された一次巻線の中に、同一ブロックの回路基板（２０３，２０４，あるいは３０３）がパーツ面を上に向けて放置（図７で示すとおり）あるいは阻ハンダ面を上に向けて放置（図８で示すとおり）した時、異なるコイルのアウトプット連接構造（図９、図１０の示すとおり）を構成する。さらに踏み込んでいえば、二ブロックと同じコイル巻数の回路基板（２０３，２０４，あるいは３０３）はパーツ面を上向けて順序に沿って積み重ねて放置して一次巻線を構成した時、直接磁性装置上の端子を通過して両個巻線の間の連接を実現することができる。二ブロックの同じコイル巻数を備えた回路基板（２０３，２０４，あるいは３０３）によって一対一（パーツ面の相対）の堆積放置で一次巻線が構成される時、端子の対磁性装置とメイン回路ボードによって電気連接を行う。メイン回路ボード上の短路連接あるいは引出端子を通じて、二つの巻線の間のカップリングあるいは構造組合を構成することができる（図９と図１０の巻線構造での組合せの通り）。
【００２７】
二ブロックの異なるコイル巻数の回路基板（２０３，２０４，あるいは３０３）によって一対一（組ハンダ面に相対する）の堆積放置によって一次巻線が構成される時、端子を経て磁性装置とメイン回路ボードに対して電気連接を行うことで、二つの巻線の間のカップリング巻線構造の組合を実現する（図１０の巻線構造組合せの通り）。
【００２８】
最少で二ブロックの平面銅板（２０５，２０６）あるいは二ブロックの同じコイル巻数の回路基板（３０４，３０５）の堆積放置で二次巻線を構成する時、端子（２０７，２０８あるいは３０６，３０７）を経て磁性装置とメイン回路ボードに対して電気連接を行い、メイン回路ボード上で短路連接を進めることで、二つの巻線の間のカップリングあるいは構造組合せを構成することができる（図１１、図１２の示すとおり）。
【００２９】
この種の独特なコイルの引出構造を採用したことで、一次巻線の中で、一ブロックの回路基板（２０３，２０４，あるいは３０３）を経て異なる面に放置（パーツ面の上向きと阻ハンダ面を上向きで放置し、図７、図８の示すとおり）することで、二種の異なるコイルアウトプットの連接構造を構成する。二次巻線の中で、メイン回路ボード上を通じて行った短路連接あるいは引出端子の連接でも、カップリングと二種のコイルアウトプットの組合せを構成することができる。
【００３０】
この長所はより多くの巻線構造の組合での異なるインプット・アウトプットの電圧要求を満足させる系列製品となり、半分以上の回路基板の製作費用を減少させることで、生産コストを大幅に減少させる。
【図面の簡単な説明】
【００３１】
【図１】従来の直流/直流変換器を示す図。
【図２】本案の磁性装置の立体分解図。
【図３】本案の磁性装置の前から見た平面図。
【図４】本案のもう一つの実施例の磁性装置の立体分解図。
【図５】本案のもう一つの実施例の磁性装置の前から見た平面図。
【図６】本案の四層構成の四圈コイルの回路基板の内部層構造の示意図。
【図７】本案の一次巻線の引出連接構造が回路基板パーツ面で上向きに放置した時の平面示意図。
【図８】本案の一次巻線の引出連接構造が回路基板組のハンダハンダ面で上向きに放置した時の平面示意図。
【図９】本案の一次巻線組合の引出での連接構造の示意図。
【図１０】本案のもう一つの実施例の一次巻線組合の引出での連接構造の示意図。
【図１１】本案の二次巻線組合の引出での連接構造の示意図。
【図１２】本案のもう一つの実施例の二次巻線の組合の引出での連接構造の示意図。
【符号の説明】
【００３２】
２０１  ソフトマグネット酸体磁芯
２０２  ソフトマグネット酸体磁芯
２０３  回路基板
２０４  回路基板
２０５  平面銅板
２０６  平面銅板
２０７  二次の巻線通過端子
２０８  二次の巻線通過端子
３０１  ソフトマグネット酸体磁芯
３０２  ソフトマグネット酸体磁芯
３０３  回路基板
３０４  二ブロックの回路基板
３０５  二ブロックの回路基板
３０６  二次の巻線通過端子
３０７  二次の巻線通過端子
【手続補正３】
【補正対象書類名】図面
【補正対象項目名】図２
【補正方法】変更
【補正の内容】
【図２】
0003141220.tif 000015
【手続補正４】
【補正対象書類名】図面
【補正対象項目名】図３
【補正方法】変更
【補正の内容】
【図３】
0003141220.tif 000016
【手続補正５】
【補正対象書類名】図面
【補正対象項目名】図４
【補正方法】変更
【補正の内容】
【図４】
0003141220.tif 000017
【手続補正６】
【補正対象書類名】図面
【補正対象項目名】図７
【補正方法】変更
【補正の内容】
【図７】
0003141220.tif 000018
【手続補正７】
【補正対象書類名】図面
【補正対象項目名】図８
【補正方法】変更
【補正の内容】
【図８】
0003141220.tif 000019
【手続補正８】
【補正対象書類名】図面
【補正対象項目名】図９
【補正方法】変更
【補正の内容】
【図９】
0003141220.tif 000020
【手続補正９】
【補正対象書類名】図面
【補正対象項目名】図１０
【補正方法】変更
【補正の内容】
【図１０】
0003141220.tif 000021
【手続補正１０】
【補正対象書類名】図面
【補正対象項目名】図１１
【補正方法】変更
【補正の内容】
【図１１】
0003141220.tif 000022
【手続補正１１】
【補正対象書類名】図面
【補正対象項目名】図１２
【補正方法】変更
【補正の内容】
【図１２】
0003141220.tif 000023
【手続補正書】
【提出日】平成20年2月26日(2008.2.26)
【手続補正１】
【補正対象書類名】実用新案登録請求の範囲
【補正対象項目名】全文
【補正方法】変更
【補正の内容】
【実用新案登録請求の範囲】
【請求項１】
一組あるいは数組の上下対称のＥＲ型あるいはＲＭ型ソフトマグネットのフェライト磁芯と、最少で一ブロックの異なるコイル巻数を構成できる回路基板であって、上記フェライト磁芯間に置かれる一次巻線と、最少で二ブロックの平面銅板あるいは二ブロックの回路基板上に実装され、上記フェライト磁芯間に置かれる二次巻線と、これら一次巻線と二次巻線との間で電気連接を行い、メイン回路ボードとの電気連接を実現する引出端子と、から構成したことを特徴とする磁性装置。
【請求項２】
変圧器の一次と二次の間、一次と一次の間、および二次と二次の間で一層あるいは多層の絶縁材料を経ることで電気隔離を実現することを特徴とする請求項１記載の磁性装置。
【請求項３】
前記一次巻線の単ブロックの回路基板は、パーツ面を上に向けて放置することができ、また阻ハンダ面を上に向けて放置することもでき、異なる巻線とアウトプット連接の構造を構成することを特徴とする請求項１記載の磁性装置。
【請求項４】
二ブロック同じコイル巻数の回路基板は、パーツ面を上に向けて順序に沿ってこれらの回路基板堆積させて放置し、これらの回路基板の組み合わせによって一次巻線を構成する時、引出端子が磁性装置とメイン回路ボードに対して電気連接を行い、また直接磁性装置の端子を通過して二個の巻線の間の並連連接を実現することを特徴とする請求項３記載の磁性装置。
【請求項５】
二ブロック同じコイル巻数の回路基板は、堆積放置して一次巻線を組成した時、端子の磁性装置とメイン回路ボードに対する電気連接を通じて、メイン回路ボード上の短路によって連接し二個の巻線の間のカップリングあるいは構造の組合せを構成することを特徴とする請求項３記載の磁性装置。
【請求項６】
二ブロック同じコイル巻数の回路基板は、堆積放置して一次巻線を組成した時、引出端子の磁性装置とメイン回路ボードに対する電気連接を通じて、メイン回路ボード上の短路によって連接し二個の巻線の間のカップリング構造の組合せを構成することを特徴とする請求項３記載の磁性装置。
【請求項７】
二ブロックの平面銅板で一個の二次巻線を構成することを特徴とする請求項１記載の磁性装置。
【請求項８】
二ブロックの回路基板により二次巻線を構成し、すべてのブロックの回路基板のコイル巻数は同じとすることを特徴とする請求項１記載の磁性装置。
【請求項９】
二個の二次巻線を構成するように、二ブロックの平面銅板を堆積放置する時、引出端子は磁性装置とメイン回路ボードに対して電気連接を行い、またメイン回路ボード上の短路連接あるいは引出端子によって二個の巻線の間のカップリングあるいはカップラー構造の組合せを構成することを特徴とする請求項７記載の磁性装置。
【請求項１０】
二個の二次巻線を構成するように、二ブロックの回路基板を、同じコイル巻数で堆積して放置する時、
引出端子によって磁性装置とメイン回路ボードに対して電気連接を行い、メイン回路ボード上の短路に連接あるいは引出端子で二個の巻線の間のカップリングあるいはカップラー構造の組合せを構成することを特徴とする請求項８記載の磁性装置。
【請求項１１】
二ブロックの平面銅板あるいは回路基板で二次巻線を構成し、一次巻線を実装した回路基板と組み合わせて堆積放置することを特徴とする請求項１記載の磁性装置。
【請求項１２】
すべてのブロックの回路基板には最少で2層以上の層構造が包括され、すべての層には一個あるいは数個のコイル巻線が形成されていることを特徴とする請求項１記載の磁性装置。
【手続補正２】
【補正対象書類名】明細書
【補正対象項目名】全文
【補正方法】変更
【補正の内容】
【考案の詳細な説明】
【技術分野】
【０００１】
本案は、少なくとも一ブロックの両層以上の構造を備え同じあるいは異なるコイル巻数で一次巻線の回路基板を組成し、少なくとも二ブロックの平面銅板あるいは二ブロックの回路基板で二次巻線を構成し、一対の上下対称のソフトマグネットフェライト磁芯、および電気を起こす連接作用の端子でエネルギー伝動と電気隔離の高效独立型平面変圧器を構成する。当該平面変圧器すなわち磁性装置は、広範な電源供応に応用でき、特に直流/直流転換器（図１の示すとおり）において応用できる。
【背景技術】
【０００２】
エネルギーの節約と環境保護のため、目下各種デジタル設備は、まさにますます高速の計算速度を採用し、同時にその外形サイズはますます小型化している。このため直流スイッチ電源の需要量は大きく受け入れ面も広いため、検査測定での電気エネルギーを節約し、また発電所の数を減少させることもでき、発電所の排出する廃気廃水の環境に対する汚染も軽減することができる。
【０００３】
省エネと環境保護の要求に適応するため、マイクロ電子回路の業務で使用する電圧はますます小さくなり、回路におけるエネルギー消耗量も小さくなっている。目下主導的な地位にある５Ｖと１２Ｖ電力供給方式は長期間維持されず、３．３Ｖ、２．５Ｖ、２Ｖ、１．８Ｖ、１．５Ｖひいては１．２Ｖの電圧は多くの電子設備の中ですでに標準的な電力供給電圧となっている。事実、次世代の高速マイクロ処理器とデジタル信号処理システムで、これらの電力供給電圧は１．０Ｖ以下になる。
【０００４】
目下この種のより低い電力供給電圧とより小さい外型の換変は急速に電源の供給と包装技術を変革させている。同時に高周波ソフトスイッチと同時整流および表面の取り付け技術の応用で大幅に体積を縮小すると同時に、電源の変換効率をさらに向上させた。
【０００５】
もう一方、直流スイッチ電源は軽薄短小化に向けて発展しており、功率半導体と信号半導体がますます小さくなる中、いかに電源供給システム中で重要な役割を果たす功率磁性器の外形サイズを変化させられるかがカギとなる。功率変圧器と電感器の小型化は最大の難点である。
【０００６】
伝統的な変圧器が採用している銅導線で作られた巻線に比べ、平面変圧器の巻線では二層あるいは多層の回路基板あるいは予め作られた平面の銅板構成が使用されており、同時に平面磁芯の開発が成功したことで、平面化の変圧器の設計が実現した。功率密度が大幅に向上すると同時、体積は大幅に縮小し、通常の変圧器の２０％程度になっている。このため、平面変圧器の厚さは伝統的な変圧器よりはるかに小さく、その４０％の高さに過ぎない。
【０００７】
伝統的な変圧器は、一般に鉄フェライト磁芯上にまきついた銅導線組で組成された圈巻線で、銅導線の利用率で充分に利用されておらず、この情況は高周波の時に特に検査測定する。これは、高周波の業務条件下で生み出された電流の効果によって得られた。
【０００８】
導体が高周波電流を通り抜けた時、変化した電流は導体内と導体外で生まれた変化の磁場となる。電磁誘導の定律に即せば、高周波磁場は導体内の長さに即して二つの平面で誘導電流が生まれる。この誘導電流は導体内のすべての長さの方向で生まれる渦流阻止磁を通ることによる変化である。このようなメイン電流と渦流は導線表面を加強することで、向導線が中心にあるほど弱く、電流の趨勢は導体表面で、この種の現象は趨膚效応という。このような結果はつねにすべての導線面積より小さく、交流抵抗は直流抵抗より大きい。
【０００９】
平面変圧器で、その巻線は敷銅が回路基板上あるいは直接銅板を使用して形成した一組の扁平の導電面体であれば、趨膚效応で電流が外表層に集中しても、電流は全体の導線を経ており、この円柱（線型）導線と対比して上昇させた電流密度によるものとし、このような常規の線繞変圧器に比べ、平面変圧器はより高い交換効率と功率密度を得られる。
【００１０】
若干の'開架'式の電源変換器製品の中で、二副あるいはそれ以上の磁性装置を同一ブロック回路マザーボードに取り付け、この種の構造の磁性装置は埋め込み型の平面変圧器となる。たとえばＣ＆Ｄ社のＷＰＡシリーズとＳｙｎｑｏｒ社のＰｏｗｅｒＱｏｒなどのシリーズは、電源変換器がいずれも単ブロックにあり、変圧器における初回レベルの巻線の多層印刷回路マザーボードで構成されている。
【００１１】
まず、変圧器の巻線比率の要求で、この種の回路基板は必ず多層的であり、最多で十二層以上とする。またこの種のすべての回路マザーボードの多層構造は非常に高い製造コストを伴う。同時にマザーボード中で構成された変圧器巻線から発生する熱量は温度感応コントロール回路に伝えられ、誤作動を引き起こす。また回路マザーボード上に装着された磁性装置については、その具体的なパラメーターを測定することは非常に困難である。また磁性装置は電源変換器全体の一部で、マザーボードで構成された巻線のどのような欠陥もすべてのブロック回路のマザーボードをダメにしてしまうので、この種の結果は材料コストの増加につながってしまう。
【００１２】
最後に電源変換器のインプットアウトプットで電圧の異なる要求で、印刷回路マザーボードで構成される変圧器巻線の変化もこれらのインプットアウトプット電圧の異なる要求に即して異なる後進と配合が行われる。このように、同一の功率のシリーズ製品のなかで、異なるアウトプット電圧の要求のもと、より高い材料コストと在庫量が生み出され、さらに多くの流動資金を投じることになってしまう。
【考案の開示】
【考案が解決しようとする課題】
【００１３】
本考案は、上記従来の問題点を解決することを課題とする。
【課題を解決するための手段】
【００１４】
本考案の磁性装置は、一組あるいは数組の上下対称のＥＲ型あるいはＲＭ型ソフトマグネットのフェライト磁芯と、最少で一ブロックの異なるコイル巻数を構成できる回路基板である一次巻線と、最少で二ブロックの平面銅板あるいは二ブロックの回路基板である二次巻線と、これら一次巻線と二次巻線との間で電気連接を行い、メイン回路ボードとの電気連接を実現する引出端子と、から構成されることを特徴とする。
【考案の効果】
【００１５】
本案の磁性装置において、平面変圧器の巻線は回路マザーボード上で構成されたものではなく、マザーボードの回路から完全に独立したもので、実際に応用する嵌入型平面変圧器にはより多くのフレキシブルさと互換性があり、効果的に材料コストを低減させている。
【００１６】
本案の磁性装置の中で、幾何学模様の一二次巻線構造を採用し、直流ロスを最低二まで抑えている。同時に一次巻線と二次巻線を採用することで、相互交錯の累積放置方式で、交流ロスも最低二まで抑えており、これもさらに進んだ変圧器の変換効率の向上であり、省エネの効果を上げている。
【考案を実施するための最良の形態】
【００１７】
図２から図５までを参照されたい。当該の独立型平面変圧器には、以下が包括される。
一組の上下対称のＥＲ型あるいはＲＭ型のソフトマグネットフェライト磁芯（２０１，２０２あるいは３０１，３０２）を含む。
【００１８】
最も少ないブロックは異なるコイル巻数の回路基板（２０３，２０４，あるいは３０３）を形成でき、この回路基板は平面変圧器の一次巻線を構成している。また一次巻線には最少の一ブロックの回路基板（２０３，２０４，あるいは３０３）を含む。また、すべてのブロックの回路基板（２０３，２０４，あるいは３０３）には最少で二層以上の層構造で組成された最少で４巻以上のコイル巻数が備わっている。
【００１９】
二次巻線には、最少で二ブロックの平面銅板（２０５，２０６）あるいは二ブロックの回路基板（３０４，３０５）が含まれ、すべてのブロックは平面銅板（２０５，２０６）は一個のコイル巻数が構成され、あるいはすべてのブロックの回路基板（３０４，３０５）には最少で二層以上の層構造で構成される最少で１巻以上のコイル巻数が備わっている。また、組成された二次巻線の二ブロックの回路基板（３０４，３０５）については、すべてのブロックの回路基板（３０４，３０５）上のコイル巻数と同じとする。
【００２０】
平面変圧器の一次巻線と二次巻線は端子（２０７，２０８あるいは３０６，３０７）とメイン回路ボードを通じて電気連接を行う。また引出端子を経て磁性装置とメイン回路ボードに対して電気連接を行い、メイン回路ボード上の短路連接あるいは引出端子を通じて二つの巻線の間のカップリングあるいはカップラー構造の組合せを構成することができる。
【００２１】
磁性装置とメイン回路ボードの電気連接経は引出端子によって実現する。
【００２２】
上述の磁性装置は、変圧器の一次と二次の間、一次と一次の間、および二次と二次の間で一層あるいは多層の絶縁材料を経ることで電気隔離が実現す。
【００２３】
上述の磁性装置は、二次巻線の二ブロックの平面銅板（２０５，２０６）あるいは回路基板（３０４，３０５）を組成し、サンドイッチ構造の方式を採用することで、一次巻線の回路基板（２０３，２０４，あるいは３０３）と堆積放置を構成している。
【００２４】
上述の磁性装置は、すべてのブロックの回路基板（２０３，２０４，３０３，３０４，３０５）で、最少で２層以上の層構造を包括し、すべての層で一個あるいは数個のコイル巻数を構成できる。
【００２５】
上述の磁性装置は、一個の独立した平面変圧器が組成する直流/直流変換器の一部分である。本案の磁性装置の中で、一次コイルは回路基板（２０３，２０４，あるいは３０３）によって組成されるもので、図６は本案のなかの一個の四層で構成される４巻コイルの回路基板内部の層構造をした図である。ここでは独特のコイルの引出構造を採用し、回路基板でパーツ面を上に向けて放置した時、図７で示すような巻線連接構造が組成される。また回路基板で阻ハンダ面を上に向けて放置した時、図８で示した巻線連接構造を組成する。
【００２６】
図２から図１２までを参照されたし。最少で一ブロックの回路基板（２０３，２０４，あるいは３０３）で組成された一次巻線の中に、同一ブロックの回路基板（２０３，２０４，あるいは３０３）がパーツ面を上に向けて放置（図７で示すとおり）あるいは阻ハンダ面を上に向けて放置（図８で示すとおり）した時、異なるコイルのアウトプット連接構造（図９、図１０の示すとおり）を構成する。さらに踏み込んでいえば、二ブロックと同じコイル巻数の回路基板（２０３，２０４，あるいは３０３）はパーツ面を上向けて順序に沿って積み重ねて放置して一次巻線を構成した時、直接磁性装置上の端子を通過して両個巻線の間の連接を実現することができる。二ブロックの同じコイル巻数を備えた回路基板（２０３，２０４，あるいは３０３）によって一対一（パーツ面の相対）の堆積放置で一次巻線が構成される時、端子の対磁性装置とメイン回路ボードによって電気連接を行う。メイン回路ボード上の短路連接あるいは引出端子を通じて、二つの巻線の間のカップリングあるいは構造組合を構成することができる（図９と図１０の巻線構造での組合せの通り）。
【００２７】
二ブロックの異なるコイル巻数の回路基板（２０３，２０４，あるいは３０３）によって一対一（組ハンダ面に相対する）の堆積放置によって一次巻線が構成される時、端子を経て磁性装置とメイン回路ボードに対して電気連接を行うことで、二つの巻線の間のカップリング巻線構造の組合を実現する（図１０の巻線構造組合せの通り）。
【００２８】
最少で二ブロックの平面銅板（２０５，２０６）あるいは二ブロックの同じコイル巻数の回路基板（３０４，３０５）の堆積放置で二次巻線を構成する時、端子（２０７，２０８あるいは３０６，３０７）を経て磁性装置とメイン回路ボードに対して電気連接を行い、メイン回路ボード上で短路連接を進めることで、二つの巻線の間のカップリングあるいは構造組合せを構成することができる（図１１、図１２の示すとおり）。
【００２９】
この種の独特なコイルの引出構造を採用したことで、一次巻線の中で、一ブロックの回路基板（２０３，２０４，あるいは３０３）を経て異なる面に放置（パーツ面の上向きと阻ハンダ面を上向きで放置し、図７、図８の示すとおり）することで、二種の異なるコイルアウトプットの連接構造を構成する。二次巻線の中で、メイン回路ボード上を通じて行った短路連接あるいは引出端子の連接でも、カップリングと二種のコイルアウトプットの組合せを構成することができる。
【００３０】
この長所はより多くの巻線構造の組合での異なるインプット・アウトプットの電圧要求を満足させる系列製品となり、半分以上の回路基板の製作費用を減少させることで、生産コストを大幅に減少させる。
【図面の簡単な説明】
【００３１】
【図１】従来の直流/直流変換器を示す図。
【図２】本案の磁性装置の立体分解図。
【図３】本案の磁性装置の前から見た平面図。
【図４】本案のもう一つの実施例の磁性装置の立体分解図。
【図５】本案のもう一つの実施例の磁性装置の前から見た平面図。
【図６】本案の四層構成の四圈コイルの回路基板の内部層構造の示意図。
【図７】本案の一次巻線の引出連接構造が回路基板パーツ面で上向きに放置した時の平面示意図。
【図８】本案の一次巻線の引出連接構造が回路基板組のハンダハンダ面で上向きに放置した時の平面示意図。
【図９】本案の一次巻線組合の引出での連接構造の示意図。
【図１０】本案のもう一つの実施例の一次巻線組合の引出での連接構造の示意図。
【図１１】本案の二次巻線組合の引出での連接構造の示意図。
【図１２】本案のもう一つの実施例の二次巻線の組合の引出での連接構造の示意図。
【符号の説明】
【００３２】
２０１  ソフトマグネットフェライト磁芯
２０２  ソフトマグネットフェライト磁芯
２０３  回路基板
２０４  回路基板
２０５  平面銅板
２０６  平面銅板
２０７  二次の巻線通過端子
２０８  二次の巻線通過端子
３０１  ソフトマグネットフェライト磁芯
３０２  ソフトマグネットフェライト磁芯
３０３  回路基板
３０４  二ブロックの回路基板
３０５  二ブロックの回路基板
３０６  二次の巻線通過端子
３０７  二次の巻線通過端子